【手続補正書】
【提出日】平成23年1月14日(2011.1.14)
【手続補正１】
【補正対象書類名】特許請求の範囲
【補正対象項目名】全文
【補正方法】変更
【補正の内容】
【特許請求の範囲】
【請求項１】
無線ネットワークの調整器におけるチャネル評価方法であって、前記無線ネットワークにおいて、高速物理チャネルおよび低速物理チャネルが通信のために使用され、前記方法は、
前記無線ネットワーク内で現在使用されているチャネルの評価を要請する第１情報要素を放送することと、
前記無線ネットワークの少なくとも一つの使用者デバイスから前記チャネル評価要請に対する応答を受信することであって、前記応答は、前記チャネル評価が、前記チャネル評価を行うことを決定した前記少なくとも一つの使用者デバイスによって行われることを確認する、ことと、
前記チャネル評価が行われることを確認する前記応答を受信した後で、前記低速物理チャネル上でビーコンを放送することであって、前記ビーコンは、チャネル時間ブロックを割り当てる情報を含み、前記チャネル時間ブロックは、前記チャネル評価が行われる時間区間であり、前記無線ネットワーク内の全ての使用者デバイスによるデータ伝送は、前記チャネル時間ブロックの間には許可されない、ことと、
前記少なくとも一つの使用者デバイスから前記チャネル評価の結果を受信することであって、前記チャネル評価は前記チャネル時間ブロックの間に行われる、ことと
を含む、方法。
【請求項２】
前記第１情報要素は、伝送されるビーコンに含まれる、請求項１に記載の方法。
【請求項３】
前記第１情報要素は、周期的に放送される、請求項１に記載の方法。
【請求項４】
前記チャネル評価の結果は第２情報要素に含まれることによって受信される、請求項１に記載の方法。
【請求項５】
前記チャネル評価の結果は少なくとも二つのチャネル状態タイプによって表現される、請求項４に記載の方法。
【請求項６】
前記第２情報要素は、前記高速物理チャネルおよび低速物理チャネルの識別情報を含む、請求項４に記載の方法。
【請求項７】
前記第２情報要素は、インデックスタイプを示すデータタイプを含む、請求項４に記載の方法。
【請求項８】
無線ネットワークの使用者デバイスにおけるチャネル評価方法であって、前記無線ネットワークにおいて高速物理チャネルおよび低速物理チャネルが通信のために使用され、前記方法は、
ビーコンを受信することであって、前記ビーコンは、現在使用されているチャネルの評価を要請するための第１情報要素を含み、前記ビーコンは、前記無線ネットワークの調整器によって放送される、ことと、
前記チャネル評価を行うかどうかを前記使用者デバイスによって決定することと、
前記チャネル評価を行うことを決定した前記使用者デバイスによって、前記チャネル評価の要請に対する応答を前記調整器に伝送することであって、前記応答は、前記チャネル評価が前記使用者デバイスによって行われることを確認する、ことと、
前記チャネル評価が行われることを確認する応答を伝送した後で、前記低速物理チャネル上で前記調整器によって放送されたビーコンを受信することであって、前記ビーコンは、チャネル時間ブロックを割り当てる情報を含み、前記チャネル時間ブロックは、前記チャネル評価が行われる時間区間であり、前記無線ネットワーク内の全ての使用者デバイスによるデータ伝送は、前記チャネル時間ブロックの間には許可されない、ことと、
前記チャネル時間ブロックを割り当てる前記情報によって示される前記チャネル時間ブロックの間に、前記チャネル評価を行うことと、
前記チャネル評価の結果を前記調整器に伝送することと
を含む、方法。
【請求項９】
前記第1情報要素は、周期的に放送される、請求項８に記載の方法。
【請求項１０】
前記チャネル評価の結果は伝送される第２情報要素に含まれる、請求項８に記載の方法。
【請求項１１】
前記チャネル評価の結果は少なくとも二つのチャネル状態タイプによって表現される、請求項１０に記載の方法。
【請求項１２】
前記第２情報要素は、前記高速物理チャネルおよび低速物理チャネルの識別情報を含む、請求項１１に記載の方法。
【請求項１３】
前記第２情報要素は、インデックスタイプを示すデータタイプを含む、請求項１２に記載の方法。
【手続補正２】
【補正対象書類名】明細書
【補正対象項目名】００１２
【補正方法】変更
【補正の内容】
【００１２】
本発明のさらに他の様相による無線ネットワークでのチャネル探索方法は、無線ネットワークで現在使用中のチャネル以外の他のチャネルを探索する方法において、無線ネットワークの調整器から現在使用中のチャネル以外の少なくとも一つのチャネルを探索することを要請する第１情報要素を含むビーコンを受信する段階と、前記調整器でチャネル探索要請に対する確認応答を受信する段階と、前記少なくとも一つのチャネルの状態を測定す
る段階と、前記チャネル状態測定結果によって前記少なくとも一つのチャネルの状態を表示するチャネル探索結果を前記調整器に伝送する段階と、を含んで構成されることができる。
例えば、本発明は以下の項目を提供する。
（項目１）
無線ネットワークの調整器でのチャネル評価方法であって、
上記無線ネットワーク内で現在使用中のチャネルの評価を要請するための第１情報要素を放送する段階と、
上記無線ネットワークの少なくとも一つのデバイスから上記チャネル評価要請に対する確認応答を受信する段階と、
上記少なくとも一つのデバイスに上記チャネル評価作業を行なう時間区間情報を伝送する段階と、
上記少なくとも一つのデバイスで上記時間区間情報により指示される時間区間に獲得されたチャネル評価結果を、上記少なくとも一つのデバイスから受信する段階と、
を含む、チャネル評価方法。
（項目２）
上記第１情報要素及び上記時間区間情報は、ビーコン（ｂｅａｃｏｎ）に含まれて伝送されることを特徴とする、項目１に記載のチャネル評価方法。
（項目３）
上記第１情報要素は周期的に放送されることを特徴とする、項目１に記載のチャネル評価方法。
（項目４）
上記時間区間には上記無線ネットワークでいかなるデバイスもデータを伝送しないようにスケジューリングされることを特徴とする、項目１に記載のチャネル評価方法。
（項目５）
上記無線ネットワークで高速物理チャネル及び低速物理チャネルを通じて通信が行なわれることを特徴とする、項目１に記載のチャネル評価方法。
（項目６）
上記チャネル評価結果は第２情報要素に含まれて受信されることを特徴とする、項目５に記載のチャネル評価方法。
（項目７）
上記チャネル評価結果は少なくとも２つのチャネル状態レベルで表現されることを特徴とする、項目６に記載のチャネル評価方法。
（項目８）
上記第２情報要素は、上記高速及び低速チャネルの識別情報を含むことを特徴とする、項目７に記載のチャネル評価方法。
（項目９）
上記第２情報要素は、上記チャネル評価結果が表現されるデータタイプに関する情報を含むことを特徴とする、項目７に記載のチャネル評価方法。
（項目１０）
無線ネットワークで現在使用中のチャネル以外の他のチャネルを探索する方法であって、
上記無線ネットワークの調整器で現在使用中のチャネル以外の少なくとも一つのチャネル探索を要請するための第１情報要素を放送する段階と、
上記無線ネットワークの少なくとも一つのデバイスから上記チャネル探索要請に対する確認応答を受信する段階と、
上記少なくとも一つのデバイスにより測定された上記少なくとも一つのチャネルの状態を表示するチャネル探索結果を、上記少なくとも一つのデバイスから受信する段階と、
を含む、チャネル探索方法。
（項目１１）
上記チャネル探索要請に対する確認応答受信後に、上記少なくとも一つのデバイスがチャネル探索中であることを上記無線ネットワークを通じて放送する段階をさらに含む、項目１０に記載のチャネル探索方法。
（項目１２）
上記状態測定結果受信後に、上記少なくとも一つのデバイスが元来のチャネルに復帰したことを上記無線ネットワークを通じて放送する段階をさらに含む、項目１１に記載のチャネル探索方法。
（項目１３）
上記第１情報要素はビーコンに含まれて伝送されることを特徴とする、項目１０に記載のチャネル探索方法。
（項目１４）
上記無線ネットワークで高速物理チャネル及び低速物理チャネルを通じて通信が行なわれることを特徴とする、項目１０に記載のチャネル探索方法。
（項目１５）
上記チャネル探索結果は第２情報要素に含まれて受信されることを特徴とする、項目１４に記載のチャネル探索方法。
（項目１６）
上記チャネル検索結果は少なくとも２つのチャネル状態レベルで表現されることを特徴とする、項目１５に記載のチャネル探索方法。
（項目１７）
上記第２情報要素は、上記高速及び低速チャネルの識別情報を含むことを特徴とする、項目１６に記載のチャネル探索方法。
（項目１８）
上記第２情報要素は、上記チャネル探索結果が表現されるデータタイプに関する情報を含むことを特徴とする、項目１６に記載のチャネル探索方法。
（項目１９）
上記チャネル探索結果に基づいて上記無線ネットワークで使用中のチャネルを他のチャネルに変更することを決定する段階と、
既に設定された回数だけビーコンを放送する段階と、
上記既に設定された回数だけビーコンを放送した後に、上記変更されるチャネルへとチャネルを変更する段階と、
を含む、項目１０に記載のチャネル探索方法。
（項目２０）
無線ネットワークの特定デバイスでのチャネル評価方法であって、
上記無線ネットワークの調整器から現在使用中のチャネルの評価を要請するための第１情報要素が含まれたビーコンを受信する段階と、
上記調整器に上記チャネル評価要請に対する確認応答を伝送する段階と、
上記調整器から上記チャネル評価作業を行なう時間区間情報を含むビーコンを受信する段階と、
上記時間区間情報により指示される時間区間に、上記現在使用中のチャネルの状態を測定する段階と、
上記チャネル状態測定により獲得されたチャネル評価結果を上記調整器に伝送する段階と、
を含む、チャネル評価方法。
（項目２１）
無線ネットワークで現在使用中のチャネル以外の他のチャネルを探索する方法であって、
上記無線ネットワークの調整器から、現在使用中のチャネル以外の少なくとも一つのチャネルを探索することを要請する第１情報要素を含むビーコンを受信する段階と、
上記調整器に上記チャネル探索要請に対する確認応答を伝送する段階と、
上記少なくとも一つのチャネルの状態を測定する段階と、
上記チャネル状態測定結果に基づいて上記少なくとも一つのチャネルの状態を表示するチャネル探索結果を上記調整器に伝送する段階と、を含む、チャネル探索方法。